(57)【要約】【課題】吸排気装置に起因する音を小さくし得るエレベーター制御システムを提供する。【解決手段】時間と気圧との関係を規定した気圧制御パターンに従って吸排気装置を制御してかご内の気圧を制御するエレベーター制御システムであって、前記かご内の気圧を制御しないときの前記かご内の気圧の時間的変化との最大の気圧差が異なる複数の気圧制御パターンを記憶する記憶部と、前記かご内の気圧の制御に用いられている気圧制御パターンを最大の気圧差が小さい気圧制御パターンに変更する変更部と、前記変更部により変更された気圧制御パターンに従って前記吸排気装置を制御して前記かご内の気圧を制御する気圧制御部と、を設けるようにした。【選択図】図１
2020179959.tif 000002
【特許請求の範囲】
【請求項１】
時間と気圧との関係を規定した気圧制御パターンに従って吸排気装置を制御してかご内の気圧を制御するエレベーター制御システムであって、
前記かご内の気圧を制御しないときの前記かご内の気圧の時間的変化との最大の気圧差が異なる複数の気圧制御パターンを記憶する記憶部と、
前記かご内の気圧の制御に用いられている気圧制御パターンを最大の気圧差が小さい気圧制御パターンに変更する変更部と、
前記変更部により変更された気圧制御パターンに従って前記吸排気装置を制御して前記かご内の気圧を制御する気圧制御部と、
を備えることを特徴とするエレベーター制御システム。
【請求項２】
前記かご内の音の大きさが許容値を超えたことを検出する検出部と、
前記変更部が変更可能な気圧制御パターンがあるか否かを判定する判定部と、を備え、
前記判定部は、前記気圧制御部が第１の気圧制御パターンに従って前記かご内の気圧を制御しているときに、前記検出部により前記かご内の音の大きさが許容値を超えたことが検出された場合、前記第１の気圧制御パターンよりも最大の気圧差が小さい第２の気圧制御パターンがあるか否かを判定し、
前記変更部は、前記判定部により前記第２の気圧制御パターンがあると判定された場合、前記第１の気圧制御パターンを前記第２の気圧制御パターンに変更する、
ことを特徴とする請求項１に記載のエレベーター制御システム。
【請求項３】
前記記憶部に記憶されている気圧制御パターンの各々は、単位時間当たりの気圧の変化量が第１の値である耳詰まりを誘発するための第１の区間と、単位時間当たりの気圧の変化量が前記第１の値よりも小さい区間である耳詰まりを解消するための第２の区間とを含んで構成され、
前記変更部は、耳詰まりの対応に最適な気圧制御パターンから、最大の気圧差が順次に小さくなるように気圧制御パターンを変更する、
ことを特徴とする請求項２に記載のエレベーター制御システム。
【請求項４】
前記かごの運転を制御するかご制御部を備え、
前記かご制御部は、前記判定部により前記第２の気圧制御パターンよりも最大の気圧差が小さい気圧制御パターンがないと判定された場合、前記かごの速度を制限する運転を行う、
ことを特徴とする請求項２に記載のエレベーター制御システム。
【請求項５】
報知を行うシステムに通信可能に接続され、
前記検出部により前記かご内の音の大きさが許容値を超えたことが検出されたことを前記システムに送信する送信部を備え、
前記システムは、前記検出部により前記かご内の音の大きさが許容値を超えたことが検出されたことを報知する、
ことを特徴とする請求項２に記載のエレベーター制御システム。
【請求項６】
前記検出部は、前記吸排気装置に通知する周波数が予め設定した周波数を超えたと判定した場合、前記かご内の音の大きさが許容値を超えたことを検出する、
ことを特徴とする請求項２に記載のエレベーター制御システム。
【請求項７】
時間と気圧との関係を規定した気圧制御パターンに従って吸排気装置を制御してかご内の気圧を制御するエレベーター制御システムにおけるエレベーター制御方法であって、
前記エレベーター制御システムは、前記かご内の気圧を制御しないときの前記かご内の気圧の時間的変化との最大の気圧差が異なる複数の気圧制御パターンを記憶する記憶部を備え、
変更部が、前記かご内の気圧の制御に用いられている気圧制御パターンを最大の気圧差が小さい気圧制御パターンに変更する第１のステップと、
気圧制御部が、前記変更部により変更された気圧制御パターンに従って前記吸排気装置を制御して前記かご内の気圧を制御する第２のステップと、
を備えることを特徴とするエレベーター制御方法。
【発明の詳細な説明】
【技術分野】
【０００１】
本発明はエレベーター制御システムおよびエレベーター制御方法に関し、例えば吸排気装置を制御してかご内の気圧を制御するエレベーター制御システムおよびエレベーター制御方法に適用して好適なものである。
【背景技術】
【０００２】
高層ビル等に設置されるエレベーターでは、エレベーターのかごは、長行程を高速で昇降するので、かご内では急激に気圧が変化し、これにより乗客が耳詰まりによる不快感を覚えることがある。このような不快感を低減するために、従来から種々の対策が提案されている。
【０００３】
この点、特許文献１には、吸排気装置（送風機）を用いてかご内の気圧を制御（気圧制御）し、乗客に嚥下を誘発させて耳詰まりの不快感を解消させるエレベーター気圧制御装置が開示されている。
【先行技術文献】
【特許文献】
【０００４】
【特許文献１】特開２０１６−２０２７４号公報
【発明の概要】
【発明が解決しようとする課題】
【０００５】
耳詰まりによる不快感を解消するために吸排気装置を用いてかご内の気圧制御を行うと、吸排気装置に起因する音により不快感が生じてしまう問題がある。しかしながら、特許文献１では、かかる問題についての記載も示唆もなく、かかる音による不快感を低減する構成については何ら開示されていない。
【０００６】
本発明は以上の点を考慮してなされたもので、吸排気装置に起因する音を小さくし得るエレベーター制御システム等を提案しようとするものである。
【課題を解決するための手段】
【０００７】
かかる課題を解決するため本発明においては、時間と気圧との関係を規定した気圧制御パターンに従って吸排気装置を制御してかご内の気圧を制御するエレベーター制御システムであって、前記かご内の気圧を制御しないときの前記かご内の気圧の時間的変化との最大の気圧差が異なる複数の気圧制御パターンを記憶する記憶部と、前記かご内の気圧の制御に用いられている気圧制御パターンを最大の気圧差が小さい気圧制御パターンに変更する変更部と、前記変更部により変更された気圧制御パターンに従って前記吸排気装置を制御して前記かご内の気圧を制御する気圧制御部と、を設けるようにした。
【０００８】
上記構成によれば、例えば、かご内の音の大きさが許容値を超えた場合、乗客からかご内の音が大きい旨の苦情があった場合などに、かご内の気圧の制御に用いられている気圧制御パターンを、最大の気圧差が小さい気圧制御パターン、すなわち吸排気装置に起因する音が小さくなるように設定された気圧制御パターンに変更することで、かご内の音の大きさを小さくすることができる。
【発明の効果】
【０００９】
本発明によれば、吸排気装置に起因する音を小さくすることができる。
【図面の簡単な説明】
【００１０】
【図１】第１の実施の形態によるエレベーター制御システムに係る構成の一例を示す図である。
【図２】第１の実施の形態による気圧制御装置に係る構成の一例を示す図である。
【図３】第１の実施の形態による気圧制御パターンを説明するための図である。
【図４】第１の実施の形態によるエレベーター制御システムで行われる処理に係るフローチャートの一例を示す図である。
【発明を実施するための形態】
【００１１】
以下図面について、本発明の一実施の形態を詳述する。本実施の形態は、エレベーターのかご内の気圧（内部気圧）を吸排気装置を用いて制御する技術に関する。本実施の形態に記載の技術は、特に、長行程を高速で昇降するエレベーターのかごにおいて、昇降時のかご内における気圧の変化により生じる耳詰まりによる不快感を低減しつつ、吸排気装置に起因するかご内の音の大きさによる不快感を低減するのに好適である。
【００１２】
本実施の形態では、音の大きさとは、基本的には、物理量（音圧［Ｐａ］、音の強さ［Ｗ／ｍ２］、音響エネルギー［Ｗ］等）または感覚量（例えば、騒音レベル［ｄＢ］）を意味している。また、本実施の形態では、かごの内側の気圧をかご内気圧または内部気圧という。また、かごと同じ高度ですぐ外側の大気圧をかご外気圧、外部気圧、または大気圧という。
【００１３】
なお、以下の説明では、同種の要素を区別しないで説明する場合には、枝番を含む参照符号のうちの共通部分（枝番を除く部分）を使用し、同種の要素を区別して説明する場合は、枝番を含む参照符号を使用することがある。例えば、パターンを特に区別しないで説明する場合には、「パターン３０２」と記載し、個々のパターンを区別して説明する場合には、「パターン３０２−１」、「パターン３０２−２」のように記載することがある。
【００１４】
（１）第１の実施の形態
図１において、１００は全体として第１の実施の形態によるエレベーター制御システムを示す。
【００１５】
図１は、エレベーター制御システム１００に係る構成の一例を示す図である。エレベーター制御システム１００は、かご１１０と、かご１１０に係る制御を行うかご制御装置１２０と、かご１１０内の気圧の制御（加減圧）を行う吸排気装置１３０と、吸排気装置１３０を制御する気圧制御装置１４０と、かご１１０と吸排気装置１３０とを連結する配管１５０と、かご１１０内の騒音を測定する騒音計１６０とを含んで構成されている。
【００１６】
かご制御装置１２０は、例えば、かご１１０を上昇させたり（上昇運転したり）、かご１１０を下降させたり（下降運転したり）する。
【００１７】
吸排気装置１３０は、例えば、既製の送風機である。吸排気装置１３０は、例えば、気圧制御装置１４０からの指令値（例えば、出力周波数）に従って、配管１５０を介して、かご１１０外の空気をかご１１０内に吸気してかご１１０内を加圧したり、かご１１０内の空気をかご外に排気してかご１１０内を減圧したりする。
【００１８】
気圧制御装置１４０は、かご１１０の内部気圧を制御するための後述の気圧制御パターン２２５を備え、かご１１０の運行に対応して内部気圧を気圧制御パターン２２５に近づけるように指令値を決定して吸排気装置１３０に通知する。
【００１９】
騒音計１６０は、例えば、既成の騒音計である。騒音計１６０は、例えば、マイクロホンによって音圧［Ｐａ］に比例した電気信号を発生し、周波数補正回路により、等ラウドネス曲線に従った周波数重み付け（Ａ特性の周波数重み付け）をした音圧レベル［ｄＢ］を測定する。
【００２０】
また、エレベーター制御システム１００では、かご制御装置１２０は、ネットワーク１７０を介して遠隔監視システム１８０と通信可能に接続されている。
【００２１】
遠隔監視システム１８０は、かご１１０の状態などを遠隔監視するシステムである。遠隔監視システム１８０は、例えば、後述するように、気圧制御装置１４０において気圧制御パターン２２５が変更されたことが検出された場合、気圧制御パターン２２５が変更されたことを報知する。
【００２２】
なお、エレベーター制御システム１００は、上述の構成に限られるものではなく、他の構成を備えていてもよい。例えば、エレベーター制御システム１００は、かご１１０内の気圧またはかご１１０内外の差圧を測定する１以上の気圧測定装置を備えていてもよい。また、例えば、エレベーター制御システム１００は、吸排気装置１３０を複数備えていてもよい。
【００２３】
図２は、気圧制御装置１４０に係る構成の一例を示す図である。
【００２４】
気圧制御装置１４０は、コンピュータを含んで構成され、プロセッサ部２１０と、記憶部２２０と、インターフェース部２３０とを備える。
【００２５】
プロセッサ部２１０は、例えば、ＣＰＵ（Central Processing Unit）であり、各種の処理を行う。記憶部２２０は、例えば、ＲＡＭ（Random Access Memory）、ＲＯＭ（Read Only Memory）、ＨＤＤ（Hard Disk Drive）などであり、各種の情報を記憶する。インターフェース部２３０は、例えば、ＮＩＣ（Network Interface Card）であり、外部のシステム、外部の装置と通信する。
【００２６】
気圧制御装置１４０の機能（気圧制御部２２１、検出部２２２、判定部２２３、変更部２２４など）は、例えば、ＣＰＵがＲＯＭに格納されたプログラムをＲＡＭに読み出して実行すること（ソフトウェア）により実現されてもよいし、専用の回路などのハードウェアにより実現されてもよいし、ソフトウェアとハードウェアとが組み合わされて実現されてもよい。また、気圧制御装置１４０の機能の一部は、気圧制御装置１４０と通信可能な他のコンピュータ（例えば、かご制御装置１２０）により実現されてもよい。
【００２７】
また、記憶部２２０は、複数の気圧制御パターン２２５を記憶している。気圧制御パターン２２５は、時間と気圧との関係を規定したパターンである。なお、気圧制御パターン２２５の詳細については、図３を用いて後述する。
【００２８】
なお、かご制御装置１２０は、コンピュータを含んで構成され、図２に示す構成と同様であるので、図示および説明を省略する。付言するならば、かご制御装置１２０の機能（後述のかご制御部、送信部など）は、例えば、ＣＰＵがＲＯＭに格納されたプログラムをＲＡＭに読み出して実行すること（ソフトウェア）により実現されてもよいし、専用の回路などのハードウェアにより実現されてもよいし、ソフトウェアとハードウェアとが組み合わされて実現されてもよい。また、かご制御装置１２０の機能の一部は、かご制御装置１２０と通信可能な他のコンピュータ（例えば、気圧制御装置１４０）により実現されてもよい。
【００２９】
図３は、気圧制御パターン２２５を説明するための図である。
【００３０】
図３では、かご１１０が上昇し始める時刻（開始時刻）を開始時刻ｔｓとする。開始時刻ｔｓからかご１１０が目的（行き先）の階（目的階）に到着してかご１１０が停止（上昇を終了）する時刻（終了時刻）を終了時刻ｔｅとする。また、かご１１０内の気圧制御の状態（吸気または排気）が切り替わる時刻（タイミング）を時刻ｔｃとする。
【００３１】
図３において、パターン３０１は、気圧制御装置１４０が気圧制御パターン２２５による制御を行わないときのかご１１０の上昇時の内部気圧の時間的変化を示す。気圧制御装置１４０が気圧制御を行わない場合、パターン３０１に示すように、かご１１０の上昇速度の変化に従って緩やかなＳ字の形状をとって気圧が降下する。
【００３２】
パターン３０２−１（気圧制御パターン２２５の一例）は、耳詰まりによる不快感を最適に低減するパターンである。パターン３０２−２（気圧制御パターン２２５の一例）は、パターン３０２−１よりも、耳詰まりによる不快感の低減の効果は小さいが、かご１１０内の音による不快感が小さいパターンである。また、図示は省略するが、パターン３０２−２よりも、耳詰まりによる不快感の低減の効果は小さいが、かご１１０内の音による不快感の低減の効果が大きいパターンが１以上設けられていてもよい。
【００３３】
パターン３０２において、パターン３０１との気圧差が大きくなるほど、吸排気装置１３０の出力（吸気量または排気量）を大きくする必要があり、吸排気装置１３０に起因する音が大きくなる。吸排気装置１３０に起因する音は、例えば、配管１５０を介して吸排気される空気の音、かご１１０に生じた隙間から出入する空気の音、吸排気装置１３０が動作する音などである。よって、例えば、かご１１０が経年劣化した場合は、かご１１０の隙間が大きくなり、吸排気装置１３０に起因する音（かご１１０内の音）が大きくなってしまう。
【００３４】
この点、エレベーター制御システム１００では、かご１１０内の音の大きさ（本実施の形態では、騒音レベルを例に挙げて説明するが、音圧であってもよいし、音の強さであってもよいし、音に係るその他の指標であってもよい。）が所定のしきい値（許容値）を超えた場合、かご１１０内の気圧の制御に用いるパターン３０２を最大の気圧差が大きいものから小さいものに変更することで、かご１１０内の音による不快感を低減している。付言するならば、エレベーター制御システム１００では、記憶部２２０は、かご１１０内の気圧を制御しないときのパターン３０１（かご１１０内の気圧の時間的変化）との最大の気圧差が異なるパターン３０２（気圧制御パターン２２５）を複数記憶している。
【００３５】
また、かご１１０の上昇時のパターン３０２には、所定の時間Δｔ３１１の間に気圧がΔＰ３１２だけ変化する第１の変化パターンと、所定の時間Δｔ３２１の間に気圧がΔＰ３２２だけ変化する第２の変化パターンとを設けている。第２の変化パターンは、第１の変化パターンに対して気圧が緩やかに変化する。
【００３６】
ここで、かご１１０の内部気圧は、かご制御装置１２０からのパターン３０２に応じた指令値により吸排気装置１３０がかご１１０内を加圧または減圧することにより、階段状に変化する。かご１１０の内部気圧が階段状に変化するため、第１の変化パターンにおいて乗客に対して適度な耳詰まりを感じさせるとともに、第２の変化パターンにおいて嚥下時間を与えることができる。これは、耳詰まりの緩和に有効である。
【００３７】
このことは、かご１１０の下降時のパターンについても同様である。つまり、記憶部２２０に記憶されている気圧制御パターン２２５の各々は、単位時間当たりの気圧の変化量が第１の値である耳詰まりを誘発するための第１の区間（第１の変化パターン）と、単位時間当たりの気圧の変化量が第１の値よりも小さい区間である耳詰まりを解消するための第２の区間（第２の変化パターン）とを含んで構成される。
【００３８】
なお、パターン３０２は、気圧制御がない場合のＳ字状のパターン３０１と、パターン３０１の始端と終端とを直線で結んで近似したパターン３０１の近似直線３０３とで囲まれた内部領域で変化する階段状のパターンである。パターン３０２をパターン３０１と近似直線３０３とで挟まれた内部領域に設定することで、パターン３０１とパターン３０２との差を低減することができる。
【００３９】
ここで、かご１１０の上昇時間の前半（ｔ＜ｔｃ）である第１の運転区間では、パターン３０１に対して内部気圧が低くなる陰圧状態になるように、吸排気装置１３０よりかご１１０外に空気を流出（吸引流出）させる。吸排気装置１３０は、送風量（排気量）がパターン３０２に追従するように（かご１１０の内部気圧が階段状の変化パターンを生成するために必要な排気量となるように）、かご制御装置１２０により制御される。また、図示は省略する気圧測定装置により気圧が測定され、内部気圧がパターン３０２と差異がある場合、かご制御装置１２０によりかご１１０内がパターン３０２となるように吸排気装置１３０の送風量が計算され、吸排気装置１３０により加圧または減圧されることで差異が調整される。以上の動作により、かご１１０の上昇時間の前半において、かご１１０内の気圧を陰圧に維持したまま、即ち吸排気装置１３０からの空気の流出によりかご１１０内を減圧することで、パターン３０２（階段状の変化パターン）を構成することができる。
【００４０】
また、かご１１０の上昇時間の後半（ｔ＞ｔｃ）である第２の運転区間においては、外部気圧に対して内部気圧が陽圧状態になるように、吸排気装置１３０によりかご１１０に空気を流入させる。吸排気装置１３０は、送風量（吸気量）が、運転時間の前半（ｔ＜ｔｃ）と同様に、パターン３０２に追従するように（かご１１０の内部気圧が階段状の変化パターンを生成するために必要な吸気量となるように）、かご制御装置１２０により制御される。また、図示は省略する気圧測定装置により気圧が測定され、内部気圧がパターン３０２と差異がある場合、かご制御装置１２０によりかご１１０内がパターン３０２となるように吸排気装置１３０の送風量が計算され、吸排気装置１３０により加圧または減圧されることで差異が調整される。以上の動作により、かご１１０の上昇時間の後半において、かご１１０内の気圧を陽圧に維持したまま、即ち吸排気装置１３０による空気の流入によりかご１１０内を加圧することで、パターン３０２（階段状の変化パターン）を構成することができる。
【００４１】
このように、かご制御装置１２０は、第１の運転期間では、内部気圧が実際の外部気圧よりも低い陰圧となる範囲内で階段状に変化するように、吸排気装置１３０を制御する減圧制御を実行する。また、かご制御装置１２０は、第２の運転期間では、内部気圧が実際の外部気圧よりも高い陽圧となる範囲内で階段状に変化するように、吸排気装置１３０を制御する加圧制御を実行する。
【００４２】
なお、本実施の形態において、時刻ｔｃは、開始時刻ｔｓと終了時刻ｔｅとの中点であってもよいし、中点でなくてもよい（第１の運転期間と第２の運転期間とは、同じであってもいし、異なっていてもよい）。
【００４３】
一方、かご１１０の下降時のパターン（気圧制御パターン２２５）は、図３における時刻ｔｃの縦線を中心に、図３のエレベーター上昇時のパターン３０２と対称な形をとる。すなわち、かご１１０の下降時には、かご１１０内の気圧を制御しないときのＳ字状のパターンは、下降時間の前半（ｔ＜ｔｃ）においては近似直線よりも下側（気圧が低い側）に、下降時間の後半（ｔ＞ｔｃ）においては近似直線よりも上側（気圧が高い側）になる。また、下降時のパターンは、Ｓ字状のパターンと近似直線とで囲まれた内部領域で変化する階段状のパターンである。かご１１０の下降時においても、階段状のパターンが、外部気圧のＳ字状のパターンと近似直線とで挟まれた内部領域で構成されることで、Ｓ字状のパターンと階段状のパターンとの差を低減することができる。
【００４４】
図４は、エレベーター制御システム１００で行われる処理に係るフローチャートの一例を示す図である。
【００４５】
ステップＳ４０１では、かご制御装置１２０は、かご１１０の下降または上昇を開始する。
【００４６】
ステップＳ４０２では、気圧制御装置１４０（気圧制御部２２１の一例）は、かご１１０の気圧制御を開始する。気圧制御装置１４０は、例えば、設定されている気圧制御パターン２２５に従って吸排気装置１３０を制御する。
【００４７】
ステップＳ４０３では、かご制御装置１２０は、かご１１０の下降または上昇を終了する（かご１１０が目的階に到着する）。
【００４８】
ステップＳ４０４では、気圧制御装置１４０（検出部２２２の一例）は、ステップＳ４０１〜ステップＳ４０３でのかご１１０の運転中に騒音計１６０で計測された音がしきい値を超えているか否か（前運転中に騒音異常を検出したか否か）を判定する。気圧制御装置１４０は、前運転中に騒音異常を検出したと判定した場合、ステップＳ４０５に処理を移し、前運転中に騒音異常を検出しなかったと判定した場合、処理を終了する。
【００４９】
ステップＳ４０５では、かご制御装置１２０（送信部の一例）は、騒音異常を検出したことを示す情報（騒音異常情報）を遠隔監視システム１８０に送信する。遠隔監視システム１８０は、騒音異常情報を受信すると、騒音異常が発生した旨を報知（ディスプレイに表示、音声出力、かご１１０の保守を担当する保守員に電子メールを送信など）する。かかる報知（予兆発報）により、かご１１０の保守員は、騒音対策（例えば、かご１１０に生じた隙間を埋める等）を実施することができるので、後述の速度制限運転が行われる事態を回避することができる。
【００５０】
ステップＳ４０６では、気圧制御装置１４０（判定部２２３の一例）は、最大の気圧差が最も小さい気圧制御パターン２２５を設定しているか否か（気圧制御パターン２２５を全て実行したか否か）を判定する。気圧制御装置１４０は、気圧制御パターン２２５を全て実行したと判定した場合、ステップＳ４０８に処理を移し、気圧制御パターン２２５を全ては実行していないと判定した場合、ステップＳ４０７に処理を移す。
【００５１】
ステップＳ４０７では、気圧制御装置１４０（変更部２２４の一例）は、気圧制御パターン２２５を次の気圧制御パターン２２５に変更（設定）し、処理を終了する。ここで、気圧制御装置１４０は、かご１１０内の気圧の制御に用いる気圧制御パターン２２５を最大の気圧差が大きいものから小さいものに変更する。より具体的には、気圧制御装置１４０は、耳詰まりの対応に最適な気圧制御パターン２２５から、最大の気圧差が順次に小さくなるように気圧制御パターン２２５を変更する。
【００５２】
ステップＳ４０８では、かご制御装置１２０（かご制御部の一例）は、かご１１０の速度を制限する運転（速度制限運転）に変更し、処理を終了する。なお、速度制限運転は、例えば、保守員による騒音対策（隙間埋め等）が実施されるまで継続される。
【００５３】
本実施の形態によれば、かご内の音の大きさが許容値を超えた場合、かご内の音の大きさが小さくなる気圧制御パターンに変更されるので、吸排気装置に起因する音を小さくすることができる。さらに、気圧制御パターンは、耳詰まりを誘発するための第１の区間と、耳詰まりを解消するための第２の区間とを含んで構成されるので、耳詰まりを誘発する耳詰まりによる不快感を低減しつつ、吸排気装置に起因する音による不快感を低減することができる。
【００５４】
（２）他の実施の形態
なお、上述の実施の形態においては、本発明をエレベーター制御システムに適用するようにした場合について述べたが、本発明はこれに限らず、この他種々のシステム、装置、方法、プログラムに広く適用することができる。
【００５５】
また、上述の実施の形態においては、気圧制御装置１４０が騒音計１６０により測定された騒音レベルに基づいて騒音異常を検出する場合について述べたが、本発明はこれに限らず、吸排気装置１３０に通知する周波数が予め設定した周波数（規定値）を超えたと判定した場合、かご１１０内の音の大きさが許容値を超えたことを検出するようにしてもよい。なお、規定値は、適宜に設定することができる。例えば、エレベーターの立ち上げのときのかご１１０の気密化の完了時に出力周波数を徐々に上げていき、騒音計の音圧レベルが許容値を超える周波数を記憶するようにしてもよい。また、例えば、当該許容値よりも小さい値を超える周波数を記憶するようにしてもよい。
【００５６】
また、上述の実施の形態において、「インターフェース部」は、１以上のインターフェースでよい。当該１以上のインターフェースは、１以上の同種の通信インターフェースデバイス（例えば１以上のＮＩＣ（Network Interface Card））であってもよいし２以上の異種の通信インターフェースデバイス（例えばＮＩＣとＨＢＡ（Host Bus Adapter））であってもよい。
【００５７】
また、上述の実施の形態において、「記憶部」は、メモリ部とＰＤＥＶ部の少なくとも一部とのうちの少なくとも１つ（典型的には少なくともメモリ部）である。
【００５８】
また、上述の実施の形態において、「メモリ部」は、１以上のメモリであり、典型的には主記憶デバイスでよい。メモリ部における少なくとも１つのメモリは、揮発性メモリであってもよいし不揮発性メモリであってもよい。
【００５９】
また、上述の実施の形態において、「ＰＤＥＶ部」は、１以上のＰＤＥＶであり、典型的には補助記憶デバイスでよい。「ＰＤＥＶ」は、物理的な記憶デバイス（Physical storage DEVice）を意味し、典型的には、不揮発性の記憶デバイス、例えばＨＤＤ（Hard Disk Drive）又はＳＳＤ（Solid State Drive）である。
【００６０】
また、上述の実施の形態において、「プロセッサ部」は、１以上のプロセッサである。少なくとも１つのプロセッサは、典型的には、ＣＰＵ（Central Processing Unit）のようなマイクロプロセッサであるが、ＧＰＵ（Graphics Processing Unit）のような他種のプロセッサでもよい。少なくとも１つのプロセッサは、シングルコアでもよいしマルチコアでもよい。少なくとも１つのプロセッサは、処理の一部又は全部を行うハードウェア回路（例えばＦＰＧＡ（Field-Programmable Gate Array）又はＡＳＩＣ（Application Specific Integrated Circuit））といった広義のプロセッサでもよい。
【００６１】
また、上述の実施の形態において、「プログラム」を主語として処理を説明する場合があるが、プログラムは、プロセッサ部によって実行されることで、定められた処理を、適宜に記憶部（例えばメモリ）及び／又はインターフェース部（例えば通信ポート）等を用いながら行うため、処理の主語がプロセッサとされてもよい。プログラムを主語として説明された処理は、プロセッサ部あるいはそのプロセッサ部を有する装置が行う処理としてもよい。また、プロセッサ部は、処理の一部又は全部を行うハードウェア回路（例えばＦＰＧＡ（Field-Programmable Gate Array）またはＡＳＩＣ（Application Specific Integrated Circuit））を含んでもよい。プログラムは、プログラムソースから計算機のような装置にインストールされてもよい。プログラムソースは、例えば、プログラム配布サーバまたは計算機が読み取り可能な記録媒体（例えば非一時的な記録媒体）であってもよい。また、以下の説明において、２以上のプログラムが１つのプログラムとして実現されてもよいし、１つのプログラムが２以上のプログラムとして実現されてもよい。
【００６２】
また、上記の説明において、各機能を実現するプログラム、テーブル、ファイル等の情報は、メモリや、ハードディスク、ＳＳＤ（Solid State Drive）等の記憶装置、または、ＩＣカード、ＳＤカード、ＤＶＤ等の記録媒体に置くことができる。
【００６３】
本発明は、例えば、以下の特徴的な構成を有する。
【００６４】
時間と気圧との関係を規定した気圧制御パターン（例えば、気圧制御パターン２２５、パターン３０２）に従って吸排気装置（例えば、吸排気装置１３０）を制御してかご（例えば、かご１１０）内の気圧を制御するエレベーター制御システム（例えば、エレベーター制御システム１００）であって、上記かご内の気圧を制御しないときの上記かご内の気圧の時間的変化（例えば、パターン３０１）との最大の気圧差が異なる複数の気圧制御パターンを記憶する記憶部（例えば、記憶部２２０）と、上記かご内の気圧の制御に用いられている気圧制御パターンを最大の気圧差が小さい気圧制御パターンに変更する変更部（例えば、変更部２２４）と、上記変更部により変更された気圧制御パターンに従って上記吸排気装置を制御して上記かご内の気圧を制御する気圧制御部（例えば、気圧制御部２２１）と、を備えることを特徴とする。
【００６５】
上記構成によれば、例えば、かご内の音の大きさが許容値を超えた場合、乗客からかご内の音が大きい旨の苦情があった場合などに、かご内の気圧の制御に用いられている気圧制御パターンを、最大の気圧差が小さい気圧制御パターン、すなわち吸排気装置に起因する音が小さくなるように設定された気圧制御パターンに変更することで、かご内の音の大きさを小さくすることができる。
【００６６】
上記かご内の音の大きさ（音圧、音の強さ、騒音レベルなど）が許容値を超えたことを検出する検出部（例えば、検出部２２２）と、上記変更部が変更可能な気圧制御パターンがあるか否かを判定する判定部（例えば、判定部２２３）と、を備え、上記判定部は、上記気圧制御部が第１の気圧制御パターンに従って上記かご内の気圧を制御しているときに、上記検出部により上記かご内の音の大きさが許容値を超えたことが検出された場合、上記第１の気圧制御パターンよりも最大の気圧差が小さい第２の気圧制御パターンがあるか否かを判定し（例えば、ステップＳ４０６）、上記変更部は、上記判定部により上記第２の気圧制御パターンがあると判定された場合、上記第１の気圧制御パターンを上記第２の気圧制御パターンに変更する（例えば、ステップＳ４０７）、ことを特徴とする。
【００６７】
上記構成によれば、例えば、かご内の音の大きさが許容値を超えた場合、第１の気圧制御パターンから音の大きさが小さくなる第２の気圧制御パターンに変更されるので、かご内の音の大きさを適切に小さくすることができる。
【００６８】
上記記憶部に記憶されている気圧制御パターンの各々は、単位時間当たりの気圧の変化量が第１の値である耳詰まりを誘発するための第１の区間（例えば、第１の変化パターン）と、単位時間当たりの気圧の変化量が上記第１の値よりも小さい区間である耳詰まりを解消するための第２の区間（例えば、第２の変化パターン）とを含んで構成され、上記変更部は、耳詰まりの対応に最適な気圧制御パターンから、最大の気圧差が順次に小さくなるように気圧制御パターンを変更する、ことを特徴とする。
【００６９】
上記構成によれば、例えば、気圧制御パターンは、耳詰まりを誘発する第１の区間と、耳抜きをするための第２の区間とを含んで構成されているので、耳詰まりによる不快感と騒音による不快感とを低減することができる。
【００７０】
上記かごの運転を制御するかご制御部（例えば、図示は省略したかご制御部）を備え、上記かご制御部は、上記判定部により上記第２の気圧制御パターンよりも最大の気圧差が小さい気圧制御パターンがないと判定された場合、上記かごの速度を制限する運転を行う（例えば、ステップＳ４０８）、ことを特徴とする。
【００７１】
ここで、気圧制御パターンによりかご内の音の大きさを小さくできない場合、気圧制御が停止されるので、耳詰まりによる不快感および騒音による不快感が増加してしまう。この点、上記構成では、例えば、速度制限運転を行うことにより、耳詰まりによる不快感と騒音による不快感とを低減することができる。
【００７２】
報知を行うシステム（例えば、遠隔監視システム１８０）に通信可能に接続され、上記検出部により上記かご内の音の大きさが許容値を超えたことが検出されたことを上記システムに送信する送信部（例えば、図示は省略した送信部）を備え、上記システムは、上記検出部により上記かご内の音の大きさが許容値を超えたことが検出されたことを報知する、ことを特徴とする。
【００７３】
上記構成によれば、遠隔監視システムでは、気圧制御パターンが変更されたことが報知されるので、例えば、保守員は、騒音対策を行うことができるようになり、速度制限運転になる事態を回避することができる。
【００７４】
上記検出部は、上記吸排気装置に通知する周波数が予め設定した周波数を超えたと判定した場合、上記かご内の音の大きさが許容値を超えたことを検出する、ことを特徴とする。
【００７５】
上記構成によれば、例えば、騒音計を新たに設置することなく、かご内の音の大きさを適切に小さくすることができる。
【００７６】
また上述した構成については、本発明の要旨を超えない範囲において、適宜に、変更したり、組み替えたり、組み合わせたり、省略したりしてもよい。
【符号の説明】
【００７７】
１００……エレベーター制御システム、１１０……かご、１２０……かご制御装置、１３０……吸排気装置、１４０……気圧制御装置、１５０……配管、１６０……騒音計。
【図１】
2020179959.tif 000003
【図２】
2020179959.tif 000004
【図３】
2020179959.tif 000005
【図４】
2020179959.tif 000006